(57)【要約】【課題】  新規な２種役物を提供する。【解決手段】  発射された遊技球３が落下する遊技面７に配設され、該遊技球３の入口２１と、該入口２１から入った遊技球３が通過する特定領域５９と、この特定領域５９以外の領域とを備えた第２種特別電動役物遊技役物９において、  上記入口２１から入った遊技球３が案内される位置に配設される載置部材１４７と、  該載置部材１４７に形成され、該載置部材１４７上の上記遊技球３が通過する穴部１４９，１５１，１５３と、  上記載置部材１４７を移動させるリンク機構１６３と、モータ駆動装置１６３とを備えたことを特徴とする第２種特別電動役物９。【選択図】図９
2005087291.tif 000002
【特許請求の範囲】
【請求項１】
発射された遊技球が落下する遊技面に配設され、該遊技球の入口と、該入口から入った遊技球が通過する２種類のエリアとを備えた遊技役物において、
上記入口から入った遊技球が案内される位置に配設される載置部材と、
該載置部材に形成され、該載置部材上の上記遊技球が通過する穴部と、
上記載置部材を移動させる移動手段とを備えたことを特徴とする遊技役物。
【請求項２】
上記移動手段は、上記載置部材を揺動させることを特徴とする請求項１に記載の遊技役物。
【請求項３】
上記載置部材は、上記入口から入った遊技球の通過方向に対してほぼ直角方向の載置面を有することを特徴とする請求項１、又は請求項２に記載の遊技役物。
【請求項４】
上記移動手段は、上記載置部材を上記載置面に沿った方向に移動させることを特徴とする請求項３に記載の遊技役物。
【請求項５】
上記遊技球が通過する２種類のエリアの一方は、特別の優遇状態を提供する特定領域であることを特徴とする請求項１ないし請求項４の何れかに記載の遊技役物。
【請求項６】
上記載置部材は、該載置部材上の遊技球を、該載置部材に形成された穴部を介して、又は該載置部材の縁部を介して、該載置部材上から落下させることを特徴とする請求項１ないし請求項５の何れかに記載の遊技役物。
【請求項７】
上記穴部は、上記載置部材に、１、又は複数形成されていることを特徴とする請求項１ないし請求項６の何れかに記載の遊技役物。
【請求項８】
上記穴部は、上記入口から入った遊技球が案内される位置の近傍に形成されていることを特徴とする請求項１ないし請求項７の何れかに記載の遊技役物。
【請求項９】
上記穴部は、複数形成される場合には、各穴部相互の間隔がほぼ等間隔に形成されていることを特徴とする請求項１ないし請求項８の何れかに記載の遊技役物。
【請求項１０】
上記遊技球を通過させ、その後、下流に流す上記穴部は、特別の優遇状態を提供する特定領域の上記エリアの上流に位置することを特徴とする請求項１ないし請求項９の何れかに記載の遊技役物。
【発明の詳細な説明】
【技術分野】
【０００１】
本発明は、遊技球を用いた遊技機の遊技役物に関する。
【背景技術】
【０００２】
従来、遊技球を用いた遊技機には、遊技面の中央に入賞口を設けた遊技役物を設置し、この遊技役物の動きによって、遊技のおもしろさを表現したり、あるいは入賞率を極めて高い状態に変化させる物が開発されている。
【０００３】
例えば、遊技役物内に振り分け皿を配設して、その振り分け皿に入った遊技球を磁石で誘導したり、その振り分け皿を傾けて遊技球を入賞口方向に流したりすることで、入賞口への遊技球の入賞をランダムにする遊技役物や（例えば、特許文献１参照。）、遊技役物内に回転するウオームと、可動翼板とを設置して、これらの組み合わせで、遊技球が入賞口にランダムに入るようにする遊技役物が開発されている（例えば、特許文献２参照。）。
【特許文献１】特開平２−２０９１７６号  公報（図７等）
【特許文献２】特開平７−２５５９１１号  公報（図１等）
【発明の開示】
【発明が解決しようとする課題】
【０００４】
しかしながら従来の技術では、遊技球の入賞の有無を、遊技球が振り分け皿に入った瞬間や振り分け皿から飛び出した瞬間に分かってしまったり、或いは遊技球がウオーム上に落ちたときの可動翼板の位置によって分かってしまうことが多くあり、当りの可能性が入賞口に入る直前まである場合は良いが、外れだということが早い時期に分かってしまうと遊技性の低下を招いてしまう虞があった。
【０００５】
例えば、特許文献１の技術では、振り分け皿から飛び出すときの遊技球の進行方向が入賞口に正面から向かった場合だけ、入賞口に絡んで当りになる確率が高くなり、それ以外の方向に向かった場合には、早い時期にほぼ外れが確定する。
【０００６】
また、特許文献２の技術では、可動翼板が所定の位置の場合だけ、ウオーム上の遊技球が入賞口に運ばれるため、遊技球がウオーム上に落ちたときに、入賞の有無を容易に予測することが出来る。
【０００７】
そこで、本発明は、従来にはない新たな遊技球の動きの提供と、遊技球が入賞口の方向に向かう確率を高くすることが出来る遊技役物を提供することにより、遊技球の挙動を毎回興味を持って見させる機能と、遊技球の動向に一喜一憂させる機能とを双方得ることで、遊技性を向上することを目的とする。
【課題を解決するための手段】
【０００８】
請求項１の発明の遊技役物は、発射された遊技球が落下する遊技面に配設され、該遊技球の入口と、該入口から入った遊技球が通過する２種類のエリアとを備えた遊技役物において、上記入口から入った遊技球が案内される位置に配設される載置部材と、該載置部材に形成され、該載置部材上の上記遊技球が通過する穴部と、上記載置部材を移動させる移動手段とを備えたことを要旨とする。
【０００９】
これにより、遊技面に発射された遊技球は、入口から入って、移動手段によって移動する載置部材上に案内される。ここで載置部材上に案内された遊技球は、移動する載置部材によって、押されたり、運ばれたりして、移動方向に変化が加えられる。又、その遊技球は、穴部に入ると、この載置部材と共に移動する穴部を通過して、２種類のエリアに向かい、何れかのエリアを通過することになる。
【００１０】
従って、遊技球は、何れかのエリアに入るまでに、移動する載置部材によってその移動方向に変化が加えられ、或いは更に移動する穴部の位置によって、２種類のエリアに向かう方向が振り分けられる。
【００１１】
請求項２の発明の遊技役物は、上記移動手段は、上記載置部材を揺動させることを特徴とする請求項１に記載の遊技役物を要旨とする。
これにより、遊技面に発射された遊技球は、入口から入って、移動手段によって揺動する載置部材上に案内される。ここで載置部材上に案内された遊技球は、揺動する載置部材上を揺れながら転がる。又、その遊技球は、穴部に入ると、この載置部材と共に揺動する穴部を通過して、２種類のエリアに向かい、何れかのエリアを通過することになる。
【００１２】
従って、遊技球は、何れかのエリアに入るまでに、揺動する載置部材によってその移動方向に変化が加えられ、或いは更に揺動する穴部の位置によって、２種類のエリアに向かう方向が振り分けられる。
【００１３】
請求項３の発明の遊技役物は、上記載置部材は、上記入口から入った遊技球の通過方向に対してほぼ直角方向の載置面を有することを特徴とする請求項１、又は請求項２に記載の遊技役物を要旨とする。
【００１４】
これにより、遊技面に発射された遊技球は、入口から入って、移動手段によって移動する載置部材の載置面に案内される。ここで遊技球は、載置面にほぼ直角方向に当たって、進行が止められ、載置面上で跳ねたり、転がったりする。
【００１５】
又、載置面上の遊技球は、移動する載置部材によって、押されたり、運ばれたりして、移動方向に変化が加えられる。又、その遊技球は、穴部に入ると、この載置部材と共に移動する穴部を通過して、２種類のエリアに向かい、何れかのエリアを通過することになる。
【００１６】
従って、遊技球は、何れかのエリアに入るまでに、載置部材によってその移動方向に大きな変化が加えられ、或いは更に移動する穴部の位置によって、２種類のエリアに向かう方向が振り分けられる。
【００１７】
請求項４の発明の遊技役物は、上記移動手段は、上記載置部材を上記載置面に沿った方向に移動させることを特徴とする請求項３に記載の遊技役物を要旨とする。
これにより、遊技面に発射された遊技球は、入口から入って、移動手段によって移動する載置部材の載置面に案内される。ここで遊技球は、載置面にほぼ直角方向に当たって、進行が止められ、載置面上で跳ねたり、転がったりする。
【００１８】
又、載置面上の遊技球は、載置面に沿った方向に移動する載置部材によって、転がされたり、運ばれたりして、移動方向に変化が加えられる。又、その遊技球は、穴部に入ると、この載置部材と共に移動する穴部を通過して、２種類のエリアに向かい、何れかのエリアを通過することになる。
【００１９】
従って、遊技球は、何れかのエリアに入るまでに、載置部材によってその移動方向に大きな変化が加えられ、或いは更に移動する穴部の位置によって、２種類のエリアに向かう方向が振り分けられる。
【００２０】
請求項５の発明の遊技役物は、上記遊技球が通過する２種類のエリアの一方は、特別の優遇状態を提供する特定領域であることを特徴とする請求項１ないし請求項４の何れかに記載の遊技役物を要旨とする。
【００２１】
これにより、遊技球は、特別の優遇状態を提供する特定領域に入るまでに、載置部材によってその移動方向に大きな変化が加えられ、或いは更に移動する穴部の位置によって、移動方向が振り分けられる。
【００２２】
従って、遊技者は、遊技球が特定領域に入ることを望み、遊技球の移動状態に強い関心を示す。
請求項６の発明の遊技役物は、上記載置部材は、該載置部材上の遊技球を、該載置部材に形成された穴部を介して、又は該載置部材の縁部を介して、該載置部材上から落下させることを特徴とする請求項１ないし請求項５の何れかに記載の遊技役物を要旨とする。
【００２３】
これにより、載置部材の縁部から遊技球が落下する場合と、穴部から落下する場合とでは、遊技球の進行方向に大きな違いを生じさせることが可能になる。
例えば、載置部材が長方板状で、穴部がその中心に形成されている場合には、穴部から落ちた遊技球は、長方板状の載置部材のほぼ中央の下流に進行し、縁部から落ちた遊技球は、ランダムな方向に進行する。
【００２４】
従って、載置部材のほぼ中央の下流に特定領域、いわゆるＶゾーンが設けられていれば、穴部から遊技球が落ちると、遊技者はＶゾーン方向への進行を予測することになる。
請求項７の発明の遊技役物は、上記穴部は、上記載置部材に、１、又は複数形成されていることを特徴とする請求項１ないし請求項６の何れかに記載の遊技役物を要旨とする。
【００２５】
これにより、載置部材の縁部から遊技球が落下する場合と、穴部から落下する場合とでは、遊技球の進行方向に大きな違いを生じさせることが可能になる。
例えば、載置部材が長方板状で、穴部がその中心に形成されている場合には、穴部から落ちた遊技球は、長方板状の載置部材のほぼ中央の下流に進行し、縁部から落ちた遊技球は、ランダムな方向に進行する。
【００２６】
従って、載置部材のほぼ中央の下流に特定領域、いわゆるＶゾーンが設けられていれば、穴部から遊技球が落ちると、遊技者はＶゾーン方向への進行を予測することになる。
又、この予測の程度は、穴部の数や位置によって、調整される。例えば、穴部が１個の場合には、この穴部に入る機会を制限され、遊技者はＶゾーン方向への進行を予測する機会の制限を受ける。
【００２７】
一方、穴部が多くなるほど遊技球が穴部から落ちる機会が増加し、遊技者は極めて頻繁にＶゾーン方向への進行を予測する機会を得る。
請求項８の発明の遊技役物は、上記穴部は、上記入口から入った遊技球が案内される位置の近傍に形成されていることを特徴とする請求項１ないし請求項７の何れかに記載の遊技役物を要旨とする。
【００２８】
これにより、入口から入った遊技球が穴部の近傍に先ず案内される。
従って、遊技球が穴部に入る機会が高められた構造の提供が可能になる。
請求項９の発明の遊技役物は、上記穴部は、複数形成される場合には、各穴部相互の間隔がほぼ等間隔に形成されていることを特徴とする請求項１ないし請求項８の何れかに記載の遊技役物を要旨とする。
【００２９】
各穴部が等間隔に配置され、整然としたイメージを与えることになる。
請求項１０の発明の遊技役物は、上記遊技球を通過させ、その後、下流に流す上記穴部は、特別の優遇状態を提供する特定領域の上記エリアの上流に位置することを特徴とする請求項１ないし請求項９の何れかに記載の遊技役物を要旨とする。
【００３０】
これにより、穴部に入ると特別の優遇状態を提供する特定領域の上流に遊技球が落ち、その後下流の特定領域に進行する。従って、特定領域に入る確率が高められる。
【発明の効果】
【００３１】
請求項１の遊技役物は、入口から入った遊技球が何れかのエリア（例えば、特定領域か、特定領域以外の領域の何れか）を通過するまでに、移動する載置部材によって移動方向に変化が加えられ、或いは更に移動する穴部によって通過する箇所が影響を受けることで、画一的な方向に遊技球が移動することを防止することが出来て、遊技球がランダムな方向に移動することになって、遊技者は、遊技球の挙動を毎回興味を持って見ることになる。
【００３２】
又、穴部を通過した遊技球は、その時の穴部の位置に応じて通過するエリアがほぼ定まり、例えば穴部を特定領域のエリアの上流側に形成しておくことで、その穴部を通過した遊技球は特定領域を通過する可能性が高まると共に、その穴部の位置によって、更に特定領域を通過する確率が高くなり、遊技者は、遊技球が穴部を通過しようとしたときの穴部の位置に応じて、特定領域への遊技球の通過を確信したり、或いは期待感を高めたりするなど、一喜一憂することになる。
【００３３】
従って、遊技役物は、入った遊技球の挙動を毎回興味を持って見させる機能と、遊技球の動向に一喜一憂させる機能とを双方得ることが出来、遊技機の遊技性を著しく向上させることが出来るという極めて優れた効果を奏する。
【００３４】
請求項２の遊技役物は、入口から入った遊技球が何れかのエリア（例えば、特定領域か、特定領域以外の領域の何れか）を通過するまでに、揺動する載置部材によって移動方向に変化が加えられ、或いは更に揺動する穴部によって通過する箇所が影響を受けることで、画一的な方向に遊技球が移動することを防止することが出来て、遊技球がランダムな方向に移動することになって、遊技者は、遊技球の挙動を毎回興味を持って見ることになる。
【００３５】
又、穴部を通過した遊技球は、その時の穴部の位置に応じて通過するエリアがほぼ定まり、例えば穴部を特定領域のエリアの上流側に形成し、その位置を中心にして揺動する様にしておくことで、その穴部を通過した遊技球は特定領域を通過する可能性が極めて高まり、遊技者は、遊技球が穴部を通過しようとしたとき、特定領域への遊技球の通過を強く確信したり、或いは期待感を極めて高めたりするなど、一喜一憂することになる。
【００３６】
従って、遊技役物は、入った遊技球の挙動を毎回興味を持って見させる機能と、遊技球の動向に一喜一憂させる機能とを双方得ることが出来、遊技機の遊技性を著しく向上させることが出来るという極めて優れた効果を奏する。
【００３７】
請求項３の遊技役物は、入口から入った遊技球が何れかのエリア（例えば、特定領域か、特定領域以外の領域の何れか）を通過するまでに、移動する載置部材によって移動方向に大きな変化が加えられ、或いは更に移動する穴部によって通過する箇所が影響を受けることで、画一的な方向に遊技球が移動することを防止することが出来て、遊技球がランダムな方向に移動することになって、遊技者は、遊技球の挙動を毎回興味を持って見ることになる。
【００３８】
又、穴部を通過した遊技球は、その時の穴部の位置に応じて通過するエリアがほぼ定まり、例えば穴部を特定領域のエリアの上流側に形成しておくことで、その穴部を通過した遊技球は特定領域を通過する可能性が高まると共に、その穴部の位置によって、更に特定領域を通過する確率が高められ、遊技者は、遊技球が穴部を通過しようとしたときの穴部の位置に応じて、特定領域への遊技球の通過を確信したり、或いは期待感を高めたりするなど、一喜一憂することになる。
【００３９】
従って、遊技役物は、入った遊技球の挙動を毎回興味を持って見させる機能と、遊技球の動向に一喜一憂させる機能とを双方得ることが出来、遊技機の遊技性を著しく向上させることが出来るという極めて優れた効果を奏する。
【００４０】
請求項４の遊技役物は、入口から入った遊技球が何れかのエリア（例えば、特定領域か、特定領域以外の領域の何れか）を通過するまでに、載置面に沿った方向に移動する載置部材によって移動方向に大きな変化が加えられ、或いは更に移動する穴部によって通過する箇所が影響を受けることで、画一的な方向に遊技球が移動することを防止することが出来て、遊技球がランダムな方向に移動することになって、遊技者は、遊技球の挙動を毎回興味を持って見ることになる。
【００４１】
又、穴部を通過した遊技球は、その時の穴部の位置に応じて通過するエリアがほぼ定まり、例えば穴部を特定領域のエリアの上流側に形成しておくことで、その穴部を通過した遊技球は特定領域を通過する可能性が高まると共に、その穴部の位置によって、更に特定領域を通過する確率が高められ、遊技者は、遊技球が穴部を通過しようとしたときの穴部の位置に応じて、特定領域への遊技球の通過を確信したり、或いは期待感を高めたりするなど、一喜一憂することになる。
【００４２】
従って、遊技役物は、入った遊技球の挙動を毎回興味を持って見させる機能と、遊技球の動向に一喜一憂させる機能とを双方得ることが出来、遊技機の遊技性を著しく向上させることが出来るという極めて優れた効果を奏する。
【００４３】
請求項５の遊技役物は、遊技球が特定領域に入ることを望まれる構成を有し、遊技者が遊技球の移動状態に強い関心を示すため、入った遊技球の挙動を毎回興味を持って見させる機能と、遊技球の動向に一喜一憂させる機能とを双方得ることが出来、遊技機の遊技性を著しく向上させることが出来るという極めて優れた効果を奏する。
【００４４】
請求項６の遊技役物は、載置部材の穴部から遊技球が落ちた場合に、遊技者が望む状態に移行する高い期待感を与える構成が可能になり、遊技機の遊技性を著しく向上させることが出来るという極めて優れた効果を奏する。
【００４５】
請求項７の発明の遊技役物は、穴部の数や位置によって、遊技者が望む状態に移行する期待感が調整される。例えば、穴部が１個の場合には、この穴部に入る機会を制限され、遊技者が望む状態への移行の機会の制限を受ける。
【００４６】
一方、穴部が多くなるほど、遊技者は極めて頻繁に望む状態への移行の期待感を得ることができる。
従って、遊技者の期待感を調整でき、所望の遊技性を備えた遊技機の提供が容易になると言う極めて優れた効果を奏する。
【００４７】
請求項８の遊技役物は、入口から入った遊技球が穴部の近傍に先ず案内され、遊技球が穴部に入る確率が高められた構造の提供が可能になることから、遊技者に遊技球が穴部に入ることを望む期待感を抱かせることが可能になる。
【００４８】
従って、遊技に穴部に遊技球を入れさせるという目的意識を備えさせることが出来て、その目的の達成感を与えることが出来、遊技機の遊技性が向上されると言う極めて優れた効果を奏する。
【００４９】
請求項９の遊技役物は、穴部が等間隔に配置されることによって、遊技球の進行方向を隣の穴部、或いはその隣りの穴部から落ちた遊技球の進行方向を参酌して遊技者が予測できる感覚を与えることができ、遊技機の遊技性が向上されると言う極めて優れた効果を奏する。また、整然とした美観を与えることが出来る。
【００５０】
請求項１０の遊技役物は、穴部に入ると特別の優遇状態を提供する特定領域の上流に遊技球が落ち、その後下流の特定領域方向に進行することから、遊技者に特定領域への通過の高い期待感を与えることが出来、遊技機の遊技性が向上されると言う極めて優れた効果を奏する。
【発明を実施するための最良の形態】
【００５１】
次に発明の実施の形態を説明する。
図１は、遊技機の遊技盤１の正面図である。
遊技盤１は、図示しない発射装置から発射された遊技球３が転がる案内レール５と、遊技球３が落下する遊技面７とを備えている。遊技面７のほぼ中央には、第２種特別電動役物９が配設され、この第２種特別電動役物９の下方に、第２種始動口１１が３カ所設置されている。この第２種特別電動役物９は、大入賞口１９の入口２１を２カ所備えている。
【００５２】
また、遊技面７には、入賞口１３や風車１５，及び遊技釘１７が設置されている。
これにより、遊技面７に発射された遊技球３は、遊技面７上を落下する場合に、風車１５や遊技釘１７によってランダムな方向に誘導されると共に、入賞口１３や第２種始動口１１に入賞される。
【００５３】
遊技球３が入賞口１３に入賞した場合には、図示しない賞球装置によって、所定数の遊技球３が図示しない遊技球受け皿上に払い出され、第２種始動口１１に入賞した場合には、遊技球３が払い出されると共に、第２種特別電動役物９の入口２１が所定の開放動作を行う。
【００５４】
図２は、第２種特別電動役物９の一部分を破断した斜視図、図３は、第２種特別電動役物９の一部分を破断した斜視図、図４は、第２種特別電動役物９の一部分を破断した斜視図である。
【００５５】
第２種特別電動役物９は、図１ないし図４に示すように、鍔状の取付飾り板２３を備え、この取付飾り板２３の前面側が遊技面７上に露出する役物部２５を構成し、裏面側が遊技面７内に隠蔽される駆動部２７を構成する。この駆動部２７は、遊技盤１に形成された図示しない取付開口に挿入され、取付飾り板２３が、遊技盤１にビス止め２９（図１参照）されることで、第２種特別電動役物９は、遊技盤１に強固に取り付けられている。
【００５６】
図５は、入口開閉機構３１の斜視図である。
第２種特別電動役物９内に遊技球３を取り込む大入賞口１９の２カ所の入口２１は、図１ないし図４に示すように、役物部２５に配設され、図５に示すように、駆動部２７に配設された、リンク機構３５と、アクチュエータ３３とからなる入口開閉機構３１によって下記に示すように、開閉駆動される。役物部２５は、図１ないし図４に示すように、大入賞口１９等を形作り、２カ所の入口２１等を支持する構造体４１が所定の意匠を呈する事で構成されている。また、駆動部２７は、入口開閉機構３１等を支持する構造体４３が所定の構造を有している。
【００５７】
この入口開閉機構３１は、図１ないし図４では、詳細な図示を省略するが、図５に示すように、入口２１に連結されたリンク機構３５のリンク部材４５が、ほぼ中央部の軸支部３７を駆動部２７の取付飾り板２３に回転自在に軸支されている。これにより、リンク部材４５が軸支部３７を回転軸にして、矢印ＹＡ方向（２本のリンク部材４５や入口２１は、対称的に動作するので、図中では対称的に動作する部分の矢印の向きを共通の符号で示す。）に回転すると、入口２１も共に、矢印ＹＡ方向に回転し、一方、リンク部材４５が矢印ＹＡの反対方向に回転すると、入口２１も矢印ＹＡの反対方向に回転する。これにより、図５の（Ａ）に示す状態、ここでは入口２１が「閉状態」からリンク部材４５が矢印ＹＡ方向に回転すると、入口２１が図５の（Ｂ)に示すような「開状態」になり、リンク部材４５が矢印ＹＡの反対方向に回転すると、入口２１が再び「閉状態」になる。
【００５８】
このように入口２１を開閉するリンク部材４５は、リンク機構３５によって連結されたアクチュエータ３３のプランジャ４７に連結され、プランジャ４７が矢印ＹＢ方向に移動すると、リンク部材４５は、矢印ＹＡ方向に回転して、入口２１が開状態になり、プランジャ４７が矢印ＹＢの反対方向に移動すると、入口２１が閉状態になる。また、アクチュエータ３３のプランジャ４７は、アクチュエータ３３が非駆動状態の場合には、図５の（Ａ）に示すようなプランジャ４７が矢印ＹＢの反対方向に移動しきった状態になり、アクチュエータ３３が駆動状態になると、図５の（Ｂ)に示すようなプランジャ４７が矢印ＹＢ方向に、移動しきった状態になる。
【００５９】
以上に説明した入口開閉機構３１は、アクチュエータ３３によって開閉するように構成されている。なお、アクチュエータ３３の駆動回路は慣用されている制御回路が用いられるので詳細な説明は省略する。
【００６０】
上記入口開閉機構３１によって開閉される入口２１が開状態の場合に、この入口２１から遊技球３が入ると、まず、図２ないし図４に示す様に、入口２１の近傍で、かつ役物部２５の構造体４１に形成された開口５１を通過する遊技球３を検出する入賞センサ５２を通って（落下し）、この開口５１の下部に形成された詳細を後述する振り分け室５３に入り、この振り分け室５３を駆動部２７方向に向かって転がり落ちていく構造を構造体４１，４３が有している。ここの入賞センサ５２は、大入賞口１９の２カ所の入口２１から入った遊技球３を検出するものであって、入賞個数のカウント用（第２種特別電動役物の１回の作動を終了させる判断を行う１０カウント用）などに用いられる。
【００６１】
また、この振り分け室５３を転がった遊技球３は、この振り分け室５３の下に配設された詳細を後述する主遊技室５５内に入って、特定領域５９（いわゆるＶゾーン）の通過を検出する特定領域センサ５７を通過するか、或いは特定領域以外の外れ領域６１を通過するかの振り分けが行われる。
【００６２】
次に、振り分け室５３による遊技球３の振り分けと、主遊技室５５による遊技球３の振り分けとを行う構成を説明する。
図６は、主振り分け機構６３の外観図、図７は、主振り分け機構６３の外観図である。
【００６３】
主振り分け機構６３は、詳細は後述するが振り分け室５３内で遊技球３を堰き止めることによって、遊技球３の行き先の振り分けを行うか、或いは主遊技室５５内で振り分け室５３内から図２ないし図４に示す迂回通路６９を転がってきた（落ちてきた）遊技球３を一時的に堰き止める働きを行う昇降堰き止め板６５と、振り分け室５３内で昇降堰き止め板６５によって堰き止められた遊技球３を図２ないし図４に示す振り分け室５３に形成された開口７１を介して主遊技室５５内に直接落下させるか、或いは迂回通路６９に流すかの振り分けを行う昇降路部材６７と、昇降堰き止め板６５を昇降させる板昇降機構７３と、昇降路部材６７を昇降させる路昇降機構７５と、モータ７９や変速機構８１によって、板昇降機構７３と、路昇降機構７５とを駆動するモータ駆動装置７７とを備えている。
【００６４】
主振り分け機構６３によって、まず遊技球３が振り分けられる振り分け室５３は、図２ないし図４に示すように、入口２１から入ってきた遊技球３が駆動部２７方向に転がっていく順番に、遊技球３が入賞センサ５２から落下してくる位置の前室８３、この前室８３の下流に位置する開口７１、この開口７１に隣接する振り分け室５３の終端部８５を備えている。従って、入口２１から入った遊技球３は、まず、前室８３に入り、その後開口７１に達する。ここで、開口７１に穴が開いた状態であれば、後述するように遊技球３はその穴から主遊技室５５に必ず落下し、開口７１の穴が詳細を後述する昇降路部材６７で塞がれていれば、開口７１の穴に落ちることなく終端部８５に達する。
【００６５】
まず、開口７１から遊技球３が落下する場合を説明する。
この場合は、終端部８５に昇降堰き止め板６５の上端８７が後述するように上昇してきて、図２や図４に示す状態になり、しかも昇降路部材６７が図２や図４に示すように、開口７１から離れた位置まで下降して、振り分け室５３内に入った遊技球３は、全て昇降堰き止め板６５の上端８７で堰き止められると共に、開口７１の穴から主遊技室５５に落下する。この状態は、第２種特別電動役物９の役物連続作動装置（図示省略）が作動状態ではない場合、つまり通常状態における状態である。
【００６６】
なお、ここで主遊技室５５に落下した遊技球３の状態は、図２に示してあるが、詳細は後述する。
次に、開口７１から遊技球３が落下しない場合を説明する。
【００６７】
この場合は、開口７１の穴を図３に示すように昇降路部材６７が塞いで、遊技球３が通過できなくなると共に、終端部８５から昇降堰き止め板６５の上端８７が後述するように下降して、遊技球３が終端部８５を越えて、この終端部８５に隣接する迂回通路６９に入るようになる。迂回通路６９に入った遊技球３は、図３に示すように、主遊技室５５の堰き止め板６５の駆動部２７側に送り込まれることになるが、詳細は後述する。
【００６８】
この迂回通路６９に遊技球３が入る状態は、第２種特別電動役物９の役物連続作動装置（図示省略）が作動状態の場合、つまり大当り状態における一態様である。
以上に説明したように、振り分け室５３は、遊技球３の行き先の振り分けを行う。
【００６９】
次に、昇降堰き止め板６５を説明する。
昇降堰き止め板６５は、図２ないし図４，図６，図７に示すような４角板状の形状を有し、既述した上端８７の反対側に後述するように遊技球３を堰き止める下端８９を有する。
【００７０】
また、昇降堰き止め板６５には、昇降路部材６７用の溝９１が対称に２カ所形成され、その溝９１の中間に、詳細を後述する中央溝９３が形成されている。
この溝９１が形成された昇降堰き止め板６５は、左右両端に丸棒部材９５が填るボス状部９７を４カ所備え、２本の丸棒部材９５に固定されている。
【００７１】
この丸棒部材９５は、図２ないし図４に示すように、駆動部２７の構造体４３に取り付けられた２カ所の支持部材１０１のボス部１０３に摺動自在に取り付けられている。
これにより、昇降堰き止め板６５は、上下に２カ所のボス部１０３を有する支持部材１０１に摺動自在に取り付けられた丸棒部材９５が昇降されると、これに伴って上下方向に昇降される。例えば、最上部まであがると、昇降堰き止め板６５は、図７、図２，図４に示す状態になって、既述したように上端８７が迂回通路６９に遊技球３が入ることを堰き止める位置になり、最下部まで下がると、昇降堰き止め板６５は、図６、図３に示す状態になって、下端８９が図３に示すように主遊技室５５の床板１０５の近傍に達する。床板１０５は、図２ないし図４に示すように、駆動部２７側から役物部２５側に向かって下降するように配設されており、この床板１０５上の遊技球３は、駆動部２７側から役物部２５側に転がり落ちる様に構成されている。
【００７２】
また、上述したように、下端８９が床板１０５の近傍に達すると、図３に示すように、下端８９と床板１０５と距離が遊技球３の直径より狭くなり、下端８９の駆動部２７側の遊技球３は、堰き止め板６５を通過することが出来なくなって、昇降堰き止め板６５によって堰き止められることになる。
【００７３】
従って、振り分け室５３から迂回通路６９を通って転がり落ちてきた遊技球３は、昇降堰き止め板６５によって堰き止められることになる。また、この状態は、昇降堰き止め板６５が上昇することによって解除されるが、このときには、遊技球３は、昇降堰き止め板６５の上端８７によって、堰き止められ迂回通路６９に送られることはなくなる。
【００７４】
昇降堰き止め板６５を昇降する丸棒部材９５は、偏心カム１０７に連結部１０９で接続され、この偏心カム１０７は、モータ駆動装置７７の駆動軸１１１によってカム１１３が回転駆動される。これにより昇降堰き止め板６５は、モータ駆動装置７７の駆動軸１１１が回転されると、その回転に応じて昇降駆動される。
【００７５】
次に昇降路部材６７の動作を説明する。
昇降路部材６７は、図６，図７に示すように、リンク機構１１４を介して、偏心カム１１５に接続され、偏心カム１１５は、モータ駆動装置７７の駆動軸１１１によってカム１１７が回転駆動される。また、偏心カム１１５と、既述した偏心カム１０７とは、逆位相状態になるように連結されており、モータ駆動装置７７が回転して、一方の偏心カム１０７が上昇すると、他方の偏心カム１１５が下降し、或いは一方の偏心カム１０７が下降すると、他方の偏心カム１１５は上昇する。
【００７６】
この場合に、偏心カム１０７のカム１１３の直径より偏心カム１１５のカム１１７の直径の方が２倍程度、大きくされており、偏心カム１１５の方が偏心カム１０７より大きく移動する。
【００７７】
このように大きく昇降移動を行う偏心カム１１５に一端１２１が接続されたリンク機構１１４は、対称的に配置された２組のリンク１３１，１３３を介して、他端１２３の軸受け１２７が固定軸１２５（詳細を後述する）に回転自在に連結されている。また、リンク１３１と、リンク１３３とは、連結軸１３５によって、回転自在に連結されている。
【００７８】
これにより、リンク機構１１４は、他端１２３の軸受け１２７を支点にして偏心カム１１５に連結された一端１２１が上下に昇降し、これらの間に位置する連結軸１３５も軸受け１２７を回転の中心にして、円弧状に上下動される。
【００７９】
このように上下動される連結軸１３５は、既述した昇降堰き止め板６５の駆動部２７側から、この昇降堰き止め板６５に形成された溝９１を貫いて役物部２５側まで出され、既述した昇降路部材６７のボス１３７に連結されている。従って、モータ駆動装置７７が回転すると、偏心カム１１５がリンク機構１１４を上下に昇降させ、結果として、昇降路部材６７を円弧状に昇降させる。
【００８０】
このように円弧状に昇降される昇降路部材６７は、図２ないし図４、図６、図７に示すような所定の意匠を有する前面板１３９と、既述した開口７１（図２ないし図４）に填って、開口７１の穴を塞いで、遊技球３が開口７１の穴に落ちたり、引っかかったりすることを防止する形状を有する蓋部１４１とを有し、前面板１３９は、この昇降路部材６７が上下する場合に、遊技者に興趣のある意匠効果を提供し、蓋部１４１は、上昇したときに、開口７１を塞いで、遊技球３を支障なく迂回通路６９に流して、振り分け室５３による遊技球３の振り分け機能を確実に提供する。
【００８１】
以上により、昇降路部材６７と、昇降堰き止め板６５とは、モータ駆動装置７７の回転駆動によって、一方が上昇すると他方が下降し、一方が下降すると他方が上昇する動作を行う。
【００８２】
これにより、主振り分け機構６３は、入口２１から入った遊技球３を、振り分け室５３によって、開口７１から主遊技室５５内の昇降堰き止め板６５の役物部２５側に直接落下させられるか、或いは迂回通路６９を介して、主遊技室５５の昇降堰き止め板６５の駆動部２７側に送り込まれるかを選択的に実行可能な構成を有する。
【００８３】
なお、この選択的な実行を確実に行うために、図６、図７に示すような昇降位置を検出するための昇降位置センサ１４３が駆動部２７の構造体４３に取り付けられ偏心カム１１５の位置を検出する様に構成されている。
【００８４】
図８は、主遊技機構１４５の外観図、図９は主遊技機構１４５の動作状態の説明図である。
次に、主遊技室５５内に入った遊技球３の振り分けを行う主遊技機構１４５を説明する。
【００８５】
主遊技機構１４５は、床板１０５と、この床板１０５から立ち上がった腰板１４６とを備える主遊技室５５内に配置され、開口７１から落ちてきた遊技球３が一時的に載置される図８に示すような載置部材１４７と、この載置部材１４７の中央近傍に形成され遊技球３の通過が可能な形状の円形の穴部１４９，１５１，１５３と、載置部材１４７の左右に円弧状に張り出した「コ」の字状の揺動腕部材１５５，１５７と、腰板１４６に設置され、床板１０５上の載置部材１４７から張り出した揺動腕部材１５５，１５７を揺動自在に載置する揺動載置部材１５９，１６１と、載置部材１４７を床板１０５に沿った方向で、かつ左右の腰板１４６間を往復する矢印ＹＣ方向に揺動させるリンク機構１６３と、リンク機構１６３を構成する既述した固定軸１２５を駆動部２７の構造体４３（図８，図９では図示を省略）に対して回転自在に支持する軸受け１６５と、駆動軸１６７を回転させるモータ駆動装置１６９と、固定軸１２５と駆動軸１６７との間に介装された偏心輪１７３のピン１７５とクランク１７７とで駆動軸１６７の回転運動を往復に変換後、固定軸１２５の捻り運動に変換する変換機構１７１とを備えている。また、クランク１７７には、位置検出片１７９が取り付けられており、構造体４３に取り付けられた位置センサ１８１は、この位置検出片１７９と共同して、固定軸１２５の回転角度を検出する。
【００８６】
また、リンク機構１６３の固定軸１２５と、載置部材１４７とは、揺動自在の連結部材１８３で連結されており、固定軸１２５が矢印ＹＤ方向に往復回転すると、載置部材１４７も矢印ＹＣ方向に往復移動を行う。
【００８７】
ここで、固定軸１２５と、載置部材１４７とが連結される連結部材１８３の役物部２５側には、所定の興趣のある意匠を提供する意匠板１８５が取り付けられており、固定軸１２５の往復回転に伴って、往復回転して、遊技者に所定の興趣を提供する。また、連結部材１８３が遊技者の目に触れないようにして、美観を保持する。
【００８８】
また、揺動腕部材１５５，１５７は、図８に示すように、円弧状に形成され、揺動載置部材１５９，１６１の回転軸１８７によって、下端１８９がそのまま案内される構成である。このため、載置部材１４７は、矢印ＹＣ方向に往復移動を行うと、図９に示す載置部材１４７Ａ、１４７Ｂ、１４７Ｃの様に、左右の揺動腕部材１５５，１５７側に移動したときに、その移動側の揺動腕部材１５５，１５７の方が上昇する状態の移動、すなわち載置部材１４７は、揺動状態で往復移動される。これにより、載置部材１４７の真ん中、つまり穴部１４９，１５１，１５３の位置が揺動の最下部に見える様に揺動されるため、遊技者は、載置部材１４７上に落ちた遊技球３が穴部１４９，１５１，１５３に入り易いと感じるようになる。従って、載置部材１４７上の遊技球３は、穴部１４９，１５１，１５３の下流に形成されている特定領域センサ５７の方向に集まるような感じを受け、遊技者の大当りに対する期待感を高めることが出来る。
【００８９】
また、載置部材１４７が左右に揺動（又は移動）されるため、穴部１４９，１５１，１５３の位置が常に変動し、遊技球３が穴部１４９，１５１，１５３に入ることの予測や予想が出来難くなる。従って、遊技球３が穴部１４９，１５１，１５３に入ったときの喜びが大きくなる。また、いずれの穴部１４９，１５１，１５３に入るかの予測も付き難くなり、ランダム性が向上される。
【００９０】
また、穴部１４９，１５１，１５３の下方の床板１０５には、図２ないし図４に示すようなリブパタン１９１が２本、特定領域センサ５７に向かって形成されている。これにより、この２本のリブパタン１９１の間に入った遊技球３は、リブパタン１９１に沿って下流の特定領域センサ５７に向かって転がり落ちて行く。つまり、このリブパタン１９１の近傍の遊技球３は、この位置が特定領域センサ５７の上流側にあることと、リブパタン１９１が特定領域センサ５７の方に向いていることとにより、その他の位置の遊技球３より特定領域センサ５７に入る可能性が非常に高くなる。
【００９１】
従って、穴部１４９，１５１，１５３に入った遊技球３は、リブパタン１９１の近傍に落ちるため、穴部１４９，１５１，１５３に入らずに載置部材１４７の周縁から落ちた遊技球３に比べて、特定領域センサ５７に入る可能性、例えば大当りになる可能性が非常に高くなる。しかも、穴部１４９，１５１，１５３も載置部材１４７の揺動に伴って左右に移動しているため、いずれの穴部１４９，１５１，１５３に入るとより入賞の可能性が高くなるかが常時変動しているため、穴部１４９，１５１，１５３による入賞に適度なランダム性を提供することが可能になる。つまり、載置部材１４７は、特定領域センサ５７への入賞の可能性が見込める状態に遊技球３を案内する比率が高く、しかもその入賞の可能性が実際に特定領域センサ５７の近傍に遊技球３が達する直前まで見込めることになり、遊技者にとっては、入賞の可能性が見込める機会が多く、しかもその入賞の期待を特定領域センサ５７の近傍まで持つことが出来るという極めて遊技性の高い遊技役物の提供が可能になる。
【００９２】
以上に説明した主遊技室５５は、主遊技機構１４５を備えることで、次のような動作を行う。
図２に示すように、開口７１から落ちてきた遊技球３は、遊技球３Ａの様に、意匠板１８５の駆動部２７側の連結部材１８３の近傍に落下する。そして、遊技球３は、載置部材１４７上に落下し、矢印線２０１に示すように、載置部材１４７上を下流の役物部２５側に転がっていって、載置部材１４７の前縁２０３から床板１０５上に落下し、そのままアウト球となる場合がある。また、矢印線２０５に示すように、穴部１４９（又は１５１，１５３）を通って、リブパタン１９１の近傍に落下し、特定領域センサ５７の特定領域５９を通過する場合がある。
【００９３】
また、図３に示すように、例えば大当りの場合に、堰き止め板６５の下端８９の駆動部２７側に堰き止められ、その後、堰き止め板６５が図４に示すように上昇すると、堰き止められていた遊技球３が一斉に床板１０５の上を下流の役物部２５側に転がり落ちて来て、矢印線２０７に示すように、特定領域センサ５７から離れたところに落ちていく遊技球３や矢印線２０９に示すように、リブパタン１９１の近傍を通過して、特定領域センサ５７の特定領域５９を通過する遊技球３がある。
【００９４】
以上に説明した遊技盤１の第２種特別電動役物９は、入口２１から入った遊技球３が特定領域センサ５７の特定領域５９を通過するか、外れ領域６１を通過するかが確定するまでに、左右に揺動する載置部材１４７によって移動方向に変化が加えられ、或いは更に移動する穴部１４９，１５１，１５３によって通過する箇所が影響を受けることで、画一的な方向に遊技球３が移動することを防止することが出来て、遊技球３がランダムな方向に移動することになって、遊技者は、遊技球３の挙動を毎回興味を持って見ることになる。
【００９５】
又、穴部１４９，１５１，１５３を通過した遊技球３は、その時の穴部１４９，１５１，１５３の位置に応じて特定領域センサ５７の通過の確率が高まり、例えば穴部１４９，１５１，１５３を特定領域センサ５７の上流側に形成しておくことで、その穴部１４９，１５１，１５３を通過した遊技球３は特定領域５９を通過する可能性が高まると共に、その穴部１４９，１５１，１５３の位置によって、更に特定領域５９を通過する確率が上昇し、遊技者は、遊技球３が穴部１４９，１５１，１５３を通過しようとしたときの穴部１４９，１５１，１５３の位置に応じて、特定領域５９への遊技球３の通過を確信したり、或いは期待感を高めたりするなど、一喜一憂することになる。
【００９６】
従って、第２種特別電動役物９は、入った遊技球３の挙動を毎回興味を持って見させる機能と、遊技球３の動向に一喜一憂させる機能とを双方得ることが出来、遊技性を著しく向上させることが出来るという極めて優れた効果を奏する。
【００９７】
なお、本発明は上記発明の実施の形態に限定されるものではなく以下に示すような様々な態様の実施が可能である。
例えば、第２種特別電動役物９に限定されるものではなく、他の規格の遊技役物に適用可能である。
【００９８】
載置部材１４７の形状や移動方向、移動状態、揺動状態は、適宜変更可能である。
載置部材１４７に遊技球３が落下してくる上面の形状や移動方向は、適宜変更可能である。
【００９９】
穴部１４９，１５１，１５３の数は、適宜変更可能である。例えば、２個にしたり、４個にしたり等。
穴部１４９，１５１，１５３の配置は、適宜変更可能である。例えば、１列に並べたり、曲線状に並べたり等。
【０１００】
穴部１４９，１５１，１５３の相互距離は、適宜変更可能である。
穴部１４９，１５１，１５３の載置部材１４７上の位置は、適宜変更可能である。
特定領域センサ５７の特定領域５９の位置や形状は、適宜変更可能である。
【０１０１】
次に特許請求の範囲の構成と、発明の実施の形態との対応を説明する。
請求項１の遊技球は遊技球３、遊技面は、遊技面７、入口は、入口２１、２種類のエリアは、床板１０５の前縁２０３に落ちる遊技球３が通過するエリアであって、特定領域５９と、この特定領域５９以外の外れ領域６１の２種類からなることが対応する。
【０１０２】
載置部材は、載置部材１４７、穴部は、穴部１４９，１５１，１５３、移動手段は、リンク機構１６３と、モータ駆動装置１６９とが対応する。
請求項２の移動手段は、請求項１と同様である。
【０１０３】
請求項３の載置部材は、請求項１と同様である。
請求項４の移動手段は、請求項１と同様である。
請求項５の遊技球が通過する２種類のエリアの一方は、特別の優遇状態を提供する特定領域であることは、請求項１と同様である。
【０１０４】
請求項６の載置部材は、該載置部材上の遊技球を、該載置部材に形成された穴部を介して、又は該載置部材の縁部を介して、該載置部材上から落下させることは、請求項１と同様である。
【０１０５】
請求項７の穴部は、上記載置部材に、１、又は複数形成されていることは、請求項１と同様である。
請求項８の穴部は、上記入口から入った遊技球が案内される位置の近傍に形成されていることは、請求項１と同様である。
【０１０６】
請求項９の穴部は、複数形成される場合には、各穴部相互の間隔がほぼ等間隔に形成されていることは、穴部１４９，１５１，１５３の図示に示されている。
請求項１０の上記遊技球を通過させ、その後、下流に流す上記穴部は、特別の優遇状態を提供する特定領域の上記エリアの上流に位置することは、請求項１と同様である。
【図面の簡単な説明】
【０１０７】
【図１】遊技機の遊技盤１の正面図である。
【図２】第２種特別電動役物９の一部分を破断した斜視図である。
【図３】第２種特別電動役物９の一部分を破断した斜視図である。
【図４】第２種特別電動役物９の一部分を破断した斜視図である。
【図５】入口開閉機構３１の斜視図である。
【図６】主振り分け機構６３の外観図である。
【図７】主振り分け機構６３の外観図である。
【図８】主遊技機構１４５の外観図である。
【図９】主遊技機構１４５の動作状態の説明図である。
【符号の説明】
【０１０８】
１・・・遊技盤、
３、３Ａ・・・遊技球、５・・・案内レール、７・・・遊技面、
９・・・第２種特別電動役物、１１・・・第２種始動口、１３・・・入賞口、
１５・・・風車、１７・・・遊技釘、１９・・・大入賞口、
２１・・・入口、２３・・・取付飾り板、２５・・・役物部、
２７・・・駆動部、２９・・・ビス止め、３１・・・入口開閉機構、
３３・・・アクチュエータ、３５・・・リンク機構、３７・・・軸支部、
４１、４３・・・構造体、４５・・・リンク部材、
４７・・・プランジャ、５１・・・開口、５２・・・入賞センサ、
５３・・・振り分け室、５５・・・主遊技室、５７・・・特定領域センサ、
５９・・・特定領域、６１・・・外れ領域、６３・・・主振り分け機構、
６５・・・昇降堰き止め板、６７・・・昇降路部材、
６９・・・迂回通路、７１・・・開口、７３・・・板昇降機構、
７５・・・路昇降機構、７７・・・モータ駆動装置、７９・・・モータ、
８１・・・変速機構、８３・・・前室、８５・・・終端部、
８７・・・上端、８９・・・下端、９１・・・溝、
９３・・・中央溝、９５・・・丸棒部材、９７・・・ボス状部、
１０１・・・支持部材、１０３・・・ボス部、１０５・・・床板、
１０７、１１５・・・偏心カム、１０９・・・連結部、１１１、１６７・・・駆動軸、
１１３、１１７・・・カム、１１４、１６３・・・リンク機構、１２１・・・一端、
１２３・・・他端、１２５・・・固定軸、１２７・・・軸受け、
１３１、１３３・・・リンク、１３５・・・連結軸、１３７・・・ボス、
１３９・・・前面板、１４１・・・蓋部、１４３・・・昇降位置センサ、
１４５・・・主遊技機構、１４６・・・腰板、
１４７、１４７Ａ、１４７Ｂ、１４７Ｃ・・・載置部材、
１４９、１５１，１５３・・・穴部、１５５、１５７・・・揺動腕部材、
１５９、１６１・・・揺動載置部材、１６５・・・軸受け、１６９・・・モータ駆動装置、
１７１・・・変換機構、１７３・・・偏心輪、１７５・・・ピン、
１７７・・・クランク、１７９・・・位置検出片、１８１・・・位置センサ、
１８３・・・連結部材、１８５・・・意匠板、１８７・・・回転軸、
１８９・・・下端、１９１・・・リブパタン、２０３・・・前縁、
２０１，２０５、２０７、２０９・・・矢印線
【図１】
2005087291.tif 000003
【図２】
2005087291.tif 000004
【図３】
2005087291.tif 000005
【図４】
2005087291.tif 000006
【図５】
2005087291.tif 000007
【図６】
2005087291.tif 000008
【図７】
2005087291.tif 000009
【図８】
2005087291.tif 000010
【図９】
2005087291.tif 000011